(57)【要約】      （修正有）【課題】ハンドルの扉への固定ビスによる固定部分に横方向のこじる力が加わっても、固定ビスに緩みが生じることがなく、横引きの引き戸に使用してもハンドルのガタツキ発生を防止することができるハンドルの取付け装置を提供する。【解決手段】扉Ａの外面に突設した固定ベース９にハンドルの筒状端部を外嵌し、このハンドルに外部からねじ込んだ固定ビス５でハンドルを固定ベース９に固定するようにしたハンドルの取付け装置であって、前記固定ベース９の外周に固定ビス５をねじ込むことのできる凹溝１２を周設し、この凹溝１２が、固定ビス５のねじ山をねじ込むことができる幅に設定されている。【選択図】図２
2007303242.tif 000002
【特許請求の範囲】
【請求項１】
扉の外面に突設した固定ベースにハンドルの筒状端部を外嵌し、このハンドルに外部からねじ込んだ固定ビスでハンドルを固定ベースに固定するようにしたハンドルの取付け装置において、前記固定ベースの外周に固定ビスをねじ込むことのできる幅の凹溝を周設したことを特徴とするハンドルの取付け装置。
【請求項２】
上記固定ベースが、円軸状で軸心に沿って扉に固定する取付けボルトの貫通孔が設けられ、この固定ベースの周囲に設けた凹溝が、固定ビスのねじ山をねじ込むことができる幅に設定されていることを特徴とする請求項１に記載のハンドルの取付け装置。
【発明の詳細な説明】
【技術分野】
【０００１】
この発明は、ドアや扉に対するハンドルの取付け装置、更に詳しくは、棒状の握りハンドルを引き戸用に用いた場合でも、長期にわたって固定部分にガタツキが生じることのない強固な固定状態が得られる取付け装置に関する。
【背景技術】
【０００２】
ドア用のハンドルの一つとして、円軸状となる直線状グリップの両端に弧状となってＬ形に屈曲した取付け金具を設けて形成され、ドアの両面に対して対応する位置に一対のハンドルを配置した状態で固定する棒状のハンドルが知られている。
【０００３】
図５と図６は従来の棒状のハンドルとその取付け装置を示している。一対のハンドル１と２は、円軸状となる直線状グリップ３の両端に弧状となってＬ形に屈曲する円軸状の取付け金具４を設けて形成され、一方ハンドル１の取付け金具４は、取付け側端部が端面で開口するねじ孔が設けられた構造になっている。
【０００４】
また、他方ハンドル２の取付け金具４は、取付け側端部が端面で開口する円形孔によって筒状部４ａとなり、この筒状部４ａの両側に固定ビス５をねじ込むためのねじ孔６が設けられた構造になっている。
【０００５】
上記のような一対のハンドル１と２を扉Ａに固定する取付け装置は、扉Ａに設けた下孔Ｂを貫通させる有頭の取付けボルト７と、この取付けボルト７の貫通孔８が軸心に沿って設けられ、取付けボルト７で扉Ａの一方の外面に突出するように固定する固定ベース９と、ハンドル２のねじ孔６に外部からねじ込み、ハンドル２を固定ベース９に固定する固定ビス５とで形成されている。
【０００６】
一対のハンドル１と２を扉Ａに固定するには、取付けボルト７を固定ベース９と扉Ａの下孔Ｂに一方の外面から挿入し、扉Ａの他方の面に位置させた一方ハンドル１の取付け金具４に設けたねじ孔に取付けボルト７をねじ込んで締め付けることにより、扉Ａに対して一方ハンドル１と固定ベース９を同時に固定する。
【０００７】
次に、扉Ａの一方の面に位置させた他方ハンドル２の取付け金具４の筒状部４ａを固定ベース９に外嵌し、両側のねじ孔６から固定ベース９に向けて固定ビス５をねじ込むことにより、他方ハンドル２を固定ベース９に固定するものである。
【０００８】
上記のように、一対のハンドル１と２を扉Ａに固定する取付け装置において、他方ハンドル２の取付け金具４の固定は、両側のねじ孔６からねじ込む固定ビス５の締め付けによって行っているため、固定ビス５が緩むと他方ハンドル２にガタツキが発生することになる。
【０００９】
従来、固定ビス５の緩みによる他方ハンドル２のガタツキ発生を防止するため、図６のように、固定ベース９の外径面を、扉Ａ側が小径となるテーパー面１０に形成し、ハンドルのねじ孔６にねじ込んだ固定ねじ５の先端面で周囲の一部をテーパー面１０に圧接させ、これによって、ねじ込んだ固定ねじ５にテーパー面１０で径方向への変移力を加えることで、ねじ孔６に対する固定ビス５の緩み止め効果を得ることができるようにしている。
【００１０】
上記のようなハンドル１、２は、前後に開くドアに取付けて使用するだけでなく、図５で示したように、左右に横引きする引き戸の扉Ａを開閉するハンドルとして使用することが行われている。
【発明の開示】
【発明が解決しようとする課題】
【００１１】
ところで、ハンドル１、２を前後に開くドアに取付けて使用した場合、ハンドル２と固定ベース９の固定ビス５による固定部分には、ドアの前後方向に沿った力が加わることになるが、固定ビス５による固定部分は前後方向の負荷に対しては緩みの生じにくい構造になっている。
【００１２】
しかし、ハンドル２を左右に横引きする引き戸扉Ａのハンドルとして使用すると、ハンドル２と固定ベース９の固定ビス５による固定部分とグリップ３の間に距離があり、扉Ａの開閉時に、ハンドル２と固定ベース９の固定ビス５による固定部分に横方向のこじる力が加わり、このこじる力はハンドル２の引き側に位置する固定ビス５をテーパー面１０から離す方向に作用するため、扉Ａの開閉を繰り返していると、扉Ａの振動が加わった固定ビス５に緩みが生じ、これが原因でハンドル２にガタツキが発生するという問題がある。
【００１３】
そこで、この発明の課題は、上記のような問題点を解決するため、ハンドルと固定ベースの固定ビスによる固定部分に横方向のこじる力が加わっても、固定ビスに緩みが生じることがなく、横引きの引き戸に使用してもハンドルのガタツキ発生を防止することができるハンドルの取付け装置を提供することにある。
【課題を解決するための手段】
【００１４】
上記のような課題を解決するため、この発明は、扉の外面に突設した固定ベースにハンドルの筒状端部を外嵌し、このハンドルに外部からねじ込んだ固定ビスの締め付けでハンドルを固定ベースに固定するようにしたハンドルの取付け装置において、前記固定ベースの外周に固定ビスをねじ込むことのできる幅の凹溝を周設した構成を採用したものである。
【００１５】
上記固定ベースが、円軸状で軸心に沿って扉に固定する取付けボルトの貫通孔が設けられ、この固定ベースの周囲に設けた凹溝が、固定ビスのねじ山をねじ込むことができる幅に設定されている構造を採用することができる。凹溝の具体的な幅は、固定ビスのねじ山の山径よりも狭く、谷径と同一もしくはそれよりも広く設定されている。
【００１６】
ここで、上記ハンドルは、円軸状となる直線状グリップの両端に弧状となってＬ形に屈曲する円軸状の取付け金具を設けて形成され、一方ハンドルの取付け金具は、取付け側端部が端面で開口する円形孔によって筒状部となり、円形孔の内端にねじ孔が設けられた構造を有し、また、他方ハンドルの取付け金具は、固定ベースに外嵌する内径を有し、取付け側端面で開口する円形孔によって筒状部となり、この筒状部の両側対向位置に固定ビスをねじ込むためのねじ孔が設けられている。
【００１７】
上記他方ハンドルの取付け金具を固定ベースに外嵌した状態で、両側のねじ孔から固定ビスをねじ込むと、固定ビスは固定ベースの凹溝内に進入し、このとき、固定ビスのねじ山は凹溝の両側壁に対して食い付き、タッピングしながら進入することで、他方ハンドルの取付け金具と固定ベースは固定ビスで結合一体化され、横引きの引き戸に使用した場合、横引き方向のこじる力に対して緩みの生じない結合が得られ、ハンドルのガタツキ発生を防止することができる。
【発明の効果】
【００１８】
この発明によると、固定ベースに外嵌したハンドルの筒状端部に外部からねじ込んだ固定ビスでハンドルを固定ベースに固定するようにしたハンドルの取付け装置において、前記固定ベースの外周に固定ビスをねじ込むことのできる幅の凹溝を周設したので、固定ビスのねじ山が凹溝の両側壁に対して食い付き、タッピングしながら進入することで、ハンドルの取付け金具と固定ベースを丁度ダブルナットと同様な緩み止め状態で結合一体化することができ、ハンドルと固定ベースの固定部分に横方向のこじる力が加わっても、固定ビスに緩みが生じることがなく、ハンドルを横引きの引き戸に使用してもハンドルのガタツキ発生を防止することができる。
【発明を実施するための最良の形態】
【００１９】
以下、この発明の実施の形態を添付図面に基づいて説明する。なお、従来と同一部分には同一符号を付して説明する。
【００２０】
図示のように、ハンドルの取付け装置は、円軸状となる直線状グリップ３の両端に弧状となってＬ形に屈曲する円軸状の取付け金具４を設けて形成された一対の棒状ハンドル１、２を扉の両面に固定するために用いられる。
【００２１】
上記ハンドル１、２において、一方ハンドル１の両端に設けた取付け金具４は、取付け側端部が端面で開口する円形孔によって筒状部４ａとなり、円形孔の内端にねじ孔４ｂが設けられた構造になっている。
【００２２】
また、他方ハンドル２の両端に設けた取付け金具４は、取付け側端面で開口する円形孔によって筒状部４ａとなり、この筒状部４ａの両側対向位置に固定ビス５をねじ込むためのねじ孔６が設けられている。
【００２３】
上記ハンドル１と２を扉Ａに固定する取付け装置は、扉Ａに設けた下孔Ｂを貫通させて一方ハンドル１のねじ孔４ｂに螺締めすることにより、一方ハンドル１を扉Ａに固定する取付けボルト７と、この取付けボルト７の貫通孔８が軸心に沿って設けられ、取付けボルト７で扉Ａの一方の外面に突出するように固定する固定ベース９を備え、他方ハンドル２の取付け金具４における筒状部４ａを固定ベース９に外嵌し、筒状部４ａのねじ孔６に外部から固定ビス５をねじ込むことにより、他方ハンドル２を扉に固定するようになっている。
【００２４】
上記固定ベース９は、真鍮等の金属材料を用いて円軸状に形成され、その軸心に沿って扉Ａに固定する取付けボルト７の貫通孔８と、一方の端面に取付けボルト７の頭部７ａが収まる凹部１１及び外周面に凹溝１２が設けられている。
【００２５】
この凹溝１２は、固定ビス５のねじ山をねじ込むことができる幅に設定され、具体的には、固定ビス５のねじ山の山径よりも狭く、谷径と同一もしくはそれよりも広い幅に設定されている。
【００２６】
上記他方ハンドル２の取付け金具４における筒状部４ａの内径は、上記固定ベース９に丁度外嵌する内径に設定され、取付けボルト７は、扉Ａとこれに重ねた固定ベース９を貫通し、一方ハンドル１のねじ孔４ｂに螺合して締付けることのできる長さになっている。
【００２７】
図示の場合、取付けボルト７の頭部７ａは皿頭を示したが、丸頭、ナベ頭等の他の形状のものでもよく、また、取付けボルト７の頭部７ａと固定ベース９の凹部１１の間に歯付きワッシャ１３を組み込み、取付けボルト７の緩み止め効果が得られるようにしてもよい。
【００２８】
この発明のハンドルの取付け装置は、上記のような構成であり、次に、この取付け装置を用いたハンドルの取付け方法を説明する。
【００２９】
扉Ａの上下位置に、ハンドル１、２の両端取付け金具４の軸心距離に一致する間隔で下孔Ｂを貫通状に穿設し、図３のように、取付けボルト７を歯付きワッシャ１３を介して固定ベース９に挿通した後、扉Ａの下孔Ｂに一方の外面から挿入し、扉Ａの他方の面に位置させた一方ハンドル１の取付け金具４に設けたねじ孔４ｂに取付けボルト７をねじ込んで締め付けることにより、図４のように、扉Ａを一方ハンドル１の取付け金具４と固定ベース９で挟み、扉Ａに対して一方ハンドル１と固定ベース９を同時に固定する。なお、このような固定は、上下の下孔Ｂにおいて同様に行う。
【００３０】
次に、扉Ａの一方の面に位置させた他方ハンドル２の両端に位置する取付け金具４の筒状部４ａを上下の固定ベース９にそれぞれ外嵌し、取付け金具４の両側に設けたねじ孔６から固定ベース９に向けて固定ビス５をねじ込むことにより、固定ベース９を介して他方ハンドル２を扉Ａに固定する。
【００３１】
上記固定ベース９には、その外周に固定ビス５をねじ込むことのできる凹溝１２を周設してあるので、両側のねじ孔６から固定ベース９に向けて固定ビス５をねじ込むと、固定ビス５のねじ山が凹溝１２の両側壁に対して食い付き、タッピングしながら進入することで、図２のように、ハンドル２の取付け金具４と固定ベース９を丁度ダブルナットと同様な緩み止め状態で結合一体化することができ、他方ハンドル２を握って扉Ａを左右横方向に開閉するとき、ハンドル２と固定ベース９の固定部分に横方向のこじる力が加わっても、固定ビス５に左右何れの方向にも緩みが生じることがなく、ハンドル２を横引きの引き戸に使用してもハンドル２のガタツキ発生を防止することができる。
【００３２】
上記固定ベース９の凹溝１２は、固定ベース９の外周に連続するよう環状に周設してあるので、両側のねじ孔６から固定ベース９に向けて固定ビス５をねじ込むとき、凹溝１２の周方向と固定ビス５の位置合わせ作業が不要になり、ハンドル取付け作業の能率向上が図れることになる。
【図面の簡単な説明】
【００３３】
【図１】この発明の取付け装置を用いて扉にハンドルを取付けた状態を示す正面図
【図２】図１の矢印ａ−ａ部分での横断平面図
【図３】この発明の取付け装置と扉及びハンドルの関係を示す分解斜視図
【図４】この発明の取付け装置を用い扉に一方ハンドルを固定した状態を示す分解斜視図
【図５】横引き戸の扉に棒状ハンドルを用いた斜視図
【図６】従来の取付け装置を用いて扉にハンドルを取付けた状態を示す横断平面図
【符号の説明】
【００３４】
１      ハンドル
２      ハンドル
３      グリップ
４      取付け金具
５      固定ビス
６      ねじ孔
７      取付けボルト
８      貫通孔
９      固定ベース
１０    テーパー面
１１    凹部
１２    凹溝
１３    歯付きワッシャ
【図１】
2007303242.tif 000003
【図２】
2007303242.tif 000004
【図３】
2007303242.tif 000005
【図４】
2007303242.tif 000006
【図５】
2007303242.tif 000007
【図６】
2007303242.tif 000008